(57)【要約】      （修正有）【課題】土壌中で自然分解されるので、そのまま植栽可能であるとともに、保温性に優れ、また、苗木を立ち姿で輸送および陳列が可能な苗木用梱包箱を提供する。【解決手段】苗木用梱包箱１は、箱本体３と、蓋２とを備えたものであって、箱本体３は、上部に開口する本体開口部３１を有し、蓋２は、本体開口部３１よりも小さい蓋開口部２１を有し、箱本体３および蓋２は段ボールからなり、段ボールは耐水性、または防水性の段ボールであることを特徴とする。【選択図】図１
2015167545.tif 000002
【特許請求の範囲】
【請求項１】
箱本体と、蓋と、を備えた苗木用梱包箱であって、
上記箱本体は、上部に開口する本体開口部を有し、
上記蓋は、上記本体開口部よりも小さい蓋開口部を有し、
上記箱本体および上記蓋は段ボールからなり、
当該段ボールは耐水性、または防水性の段ボールである
ことを特徴とする苗木用梱包箱。
【請求項２】
上記箱本体は、側面下方に穴を開けやすい加工が施されている
ことを特徴とする請求項１に記載の苗木用梱包箱。
【請求項３】
上記箱本体および／または上記蓋を構成する段ボールの中芯とライナー間に肥料を入れた
ことを特徴とする請求項１または２に記載の苗木用梱包箱。
【請求項４】
上記箱本体の底面に耐水性、または防水性の段ボールの中敷きを設けた
ことを特徴とする請求項１から３のいずれかに記載の苗木用梱包箱。
【請求項５】
上記箱本体は土壌中で自然分解加工な素材からなる補強具により補強された
ことを特徴とする請求項１から４のいずれかに記載の苗木用梱包箱。
【請求項６】
上記蓋開口部の周囲は、土壌中で自然分解加工な素材からなる補強具により補強された
ことを特徴とする請求項１から５のいずれかに記載の苗木用梱包箱。
【請求項７】
請求項１から６のいずれかに記載の苗木用梱包箱と、
当該苗木用梱包箱内に根元部分を入れた苗木と、
当該苗木用梱包箱内に入れた土と、
を備えた苗木セット。
【発明の詳細な説明】
【技術分野】
【０００１】
本発明は、苗木の運搬、陳列および植栽に適した梱包箱に関するものである。
【背景技術】
【０００２】
高さが１ｍ、あるいはそれ以上ある大きな苗木は、根元の土が崩れないように、藁縄や麻布でくるんだ状態で、生産者から販売店へ搬送されることが多い。このような苗木は、販売店において寝かせた状態で陳列されることが一般的である。
【０００３】
あるいは苗木ポットに入れられて運搬および販売がなされる苗木もある。例えば、柔軟性を有する板状部材によって円筒状に形成され、その中心軸に沿って開閉自在な継ぎ目を有するポット本体と、ポット本体内の土壌及び苗木を保持するべく、ポット本体の一方の端部側に着脱自在に設けられた底部材と、ポット本体の略全長に亘ってポット本体の外周面から突出して形成され、ワンタッチの操作で継ぎ目を開閉する留め部とを備える苗木ポットが提案されている。（例えば、特許文献１）。
【先行技術文献】
【特許文献】
【０００４】
【特許文献１】特開２００９−１９５１５９
【発明の概要】
【発明が解決しようとする課題】
【０００５】
しかしながら、藁縄や麻布でくるんだ状態の苗木は、販売店において寝かせた状態で陳列されるため、苗木の全容や枝振りが分かりにくく、購入者に苗木の良さを十分に伝えることが困難であった。
また、植栽の際に土を落とさない等の細かな注意が必要であり、さらに、育った土壌と異なる土壌に植栽するため、苗木が土壌に馴染めずに枯れてしまうといった問題があった。
【０００６】
特許文献１に開示された苗木ポットは、そのまま土壌に植栽した後に、苗木ポットだけを取り出すことができるため、上記のような問題は生じない。しかしながら、苗木ポットの取り出しが煩雑であり、初めて行う人にとっては容易な作業ではなかった。また、苗木ポットのコストが高く、一般の愛好者向けの苗木販売に適するものではなかった。
【０００７】
本発明は上記の課題を解決するためになされたものであり、低コストで、運搬、陳列および植栽に適した苗木用の梱包箱を提供するものである。
【課題を解決するための手段】
【０００８】
本発明に係る苗木用梱包箱は、箱本体と、蓋と、を備え、
上記箱本体は、上部に開口する本体開口部を有し、
上記蓋は、上記本体開口部よりも小さい蓋開口部を有し、
上記箱本体および上記蓋は段ボールからなり、
当該段ボールは耐水性、または防水性の段ボールである
ことを特徴とする。
【発明の効果】
【０００９】
本発明に係る苗木用梱包箱は上記のように構成されているので、苗木の根に触ることなく、梱包箱ごと、土壌中に植栽できるので、初心者であっても容易に作業が行える。梱包箱の材質が段ボールであるため、土壌中で繊維状に自然分解され、自然に還るので、植栽後に取り出す必要が無い。
また、苗木が育った土壌をそのまま利用するので、土壌が変わることによる苗木への悪影響を心配する必要が無い。
【００１０】
また、苗木を立ち姿で陳列できるので、木の全容や枝振りが購買者等が一見して分かるため、購買意欲を向上させることができる。また、購買者が購買後、手押し車等での運搬が容易である。
さらに、生産地から販売地への輸送も、立ち姿で輸送できるので、輸送コスつが低減できる。
【００１１】
材質が段ボールであるので、低コストで、一般消費者への販売に適する。
また、保温効果が高く、冬でも根が腐る等の虞が減少する。保水性も高いため、水やりの回数が少なくて済む。特に蓋の開口を小さめにしているので、さらに保温性が増し、また、運搬時に土がこぼれにくくできる。
さらに、段ボールは様々な大きさの箱を容易に作成できるため、苗木の大きさや高さに合わせた梱包箱を得ることができる。
【００１２】
また、段ボールは加工することが容易であるため、苗木を安定に立てるロープ等を張るための穴等をその場で設けることができる。
さらに側面に穴を開けることで、根の張る方向を制御することができる。
【００１３】
ダンボールは防水又は耐水加工が施されているため、屋外での陳列も可能である。
また、防水又は耐水加工の加工具合により、土壌中での腐食期間の調整が可能である。したがって、中芯とライナーとの間に肥料を入れておけば、苗木が肥料を必要とする時期に、適切に与えることができる。
【００１４】
段ボールの表面には様々な印刷を施すことができるので、苗木と調和した印刷を施せば、陳列時に、苗木を引き立たせて見せることが可能である。あるいは、生産地名やブランド名を入れることもできる。
【図面の簡単な説明】
【００１５】
【図１】本発明に係る苗木用梱包箱の構成図である。
【図２】本発明に係る苗木用梱包箱の組立後の斜視図である。
【図３】本発明に係る苗木用梱包箱の箱本体の別の構成図である。
【図４】本発明に係る苗木用梱包箱の別の構成図である。
【図５】本発明に係る実施の苗木用梱包箱のさらに別の構成図である。
【図６】本発明に係る苗木用梱包箱の使用方法を表す第一の図である。
【図７】本発明に係る苗木用梱包箱の使用方法を表す第二の図である。
【図８】本発明に係る苗木用梱包箱の使用方法を表す第三の図である。
【図９】本発明に係る苗木用梱包箱の使用方法を表す第四の図である。
【図１０】本発明に係る苗木用梱包箱の使用方法を表す第五の図である。
【発明を実施するための形態】
【００１６】
実施の形態１．
本発明に係る苗木用梱包箱の構成およびその動作等に関して、以下において、図面を用いて説明する。なお、以下の説明は本発明に関する良好な一例を開示するものであり、本発明が当該実施の形態に限定されるものではない。
【００１７】
本発明に係る苗木用梱包箱１は、図１に示すように、蓋２と箱本体３とから構成される。
蓋２は段ボールからなり、中央付近に蓋開口２１が開けられ、蓋開口部２１の周囲は、必要に応じてアングル材等の補強具２２で補強されている。この補強具２２は、木や繊維質材料といった土壌中で自然分解されるものが良い。
【００１８】
箱本体３は、例えば直方体形状の段ボールであり、その上部に開口である本体開口部３１が設けられている。この本体開口部３１よりも、蓋開口部２１の方が小さめの開口となっている。
箱本体も必要に応じて、アングル材等の補強具３２で補強される。図１においては、４本のＬ字アングル材が用いられている。この補強具３２も木や繊維質材料といった土壌中で自然分解されるものが良い。
【００１９】
アングル材を用いるか否かは、苗木に大きさや重量に応じて決めれば良い。大きくて重い苗木の場合には、補強具２２や３２を用いて、苗木用梱包箱１全体をしっかりと補強すれば、輸送時に壊れたりする心配が無い。
【００２０】
蓋２を箱本体３の上部に嵌めこんで、蓋を閉じた状態を図２に示す。
蓋２が簡単に外れないように、箱本体３の上部と蓋２とのクリアランスを小さめにし、しっかりと嵌めこめるようにした方が良い。
なお、蓋２および箱本体３を構成する段ボールには撥水あるいは防水等の加工が施されていることが望ましく、すなわち、防水性あるいは耐水性の段ボールを使用することが望ましい。これは苗木への水やりや、屋外での陳列も可能な、耐水強度の高い梱包箱とするためである。
【００２１】
蓋２および箱本体３を構成する段ボールの表面には、必要に応じて、適切な印刷を施すことができる。例えば、土や芝生の絵を描き、苗木が庭に立っているかのように演出することで、陳列した際に、際だって見せることができる。あるいは、生産地名等を印刷することで、地方ブランドとしての認知度を広めることもできる。
【００２２】
図３は、箱本体３の別の例であり、４本のＬ字アングル材に加えて、さらに２本のＬ字アングル材である補強具３２０を用いて、より箱の剛性を高めている。
また、図４も別の構成例であり、防水あるいは耐水性の段ボールを中敷４として、箱本体３の底部に設けている。このようにすることで、水やりの際に最も水が溜まりやすい底部の耐水性を向上させ、且つ最も重量負荷が掛かる底部の強度も向上させることができる。
【００２３】
また、蓋２を用いないで、図５に示すような一体の箱としても良い。ただし、補強具や中敷を設けることを考えると、箱本体と蓋を分離させて方が便利であり、箱本体に土を入れる際にも、蓋が取れる構成の方が望ましい。
【００２４】
次に、苗木用梱包箱１の使用方法について説明する。
まず、図６に示すように、苗木が育った土壌を箱本体３に、箱の高さの半分程度入れる。そこに、苗木５０を蓋開口部２１から挿入する。
そして、図７に示すように、ロープ等の固定具６０で苗木５０を固定する。固定具は、蓋２に穴を開けて、そこに一端を固定し、他端で苗木５０を固定する。段ボール製の蓋２は穴開け等の加工が容易であるため、苗木の大きさ等に合せて、その場で最適な場所を選んで加工することができる。
【００２５】
苗木５０を固定を固定した後に、図８に示すように土壌２１を箱本体に満たしてやれば良い。
この状態、すなわち立ち姿で輸送が可能であるため、省スペースの輸送が可能であるとともに、箱本体３を抱えたり、あるいは台車を用いて運ぶことが容易にできるため、輸送用トラックまで運ぶことも容易となる。
【００２６】
そして、この立ち姿のままで陳列できるので、苗木の全容を見せることができる。生産者の立場で言えば、自慢の苗木をしっかりと立ち姿でアピールできるし、購入者の立場で言えば、本当に欲しい苗木を選ぶことができる。また、購入者は購入した苗木を、台車等を用いて駐車場まで容易に運ぶことができる。
【００２７】
なお、図９に示すように、箱本体３の各４側面下方に穴３４を開けるための予備加工を施しておいても良い。この加工は、貫通しない程度に穴の外周に相当する部分を薄くした加工で良い。段ボールは波型の中芯を表裏２枚のライナーで挟んだ構造であるが、表のライナーと、中芯の半分程度まで切れ込みを入れる加工を施してやれば良い。
【００２８】
苗木の購入者が自宅の庭に植え替えを行う際には、購入したそのままの状態で、庭に植栽すれば良い。すなわち、苗木用梱包箱１ごと、苗木を庭に植えれば良い。この際、苗木が根を張りやすいように、上述の予備加工を利用して、箱本体３の４つの側面下方に穴３４を開けてから、図１０に示すように、土壌を被せてやる。
【００２９】
ただし、根を伸ばしたくない方向があるのであれば、その方向だけ穴３４を開けなければよい。さらに、図１０に示すように遮蔽板９０を箱本体３の側面に沿うように置くことで、その方向へ根が伸びることを抑止することができる。例えば、隣の家へ根が伸びないようにしたい場合には、その方向だけ穴３４を開けずにしておき、且つ遮蔽版９０を設けてやる。
【００３０】
なお、この穴３４を開けるための予備加工は必ずしも必要では無い。段ボールは加工性に優れているため、予備加工が無くとも、購入者自身がカッターナイフ等を用いて穴を形成することも困難ではない。例えば、予備加工の代わりに、適切な穴開け位置の位置だけを示す印刷を箱本体３の表面に設けても良い。
【００３１】
さて、図１０のように植栽が完了した後、一定の期間を経て、段ボールからなる苗木用梱包箱１は土壌中で繊維状に自然分解される。この期間は、例えば、半年とか１年という長さの期間であり、苗木がしっかりと土壌に根を張るために十分な期間である。すなわち、苗木が根を張るまでの期間は、苗木用梱包箱１は苗木を支える役割を果たし、その役割を終えると土に還ることになる。
【００３２】
苗木用梱包箱１が土壌中で繊維状に自然分解される期間は、箱表面に施された防水あるいは撥水加工の種類や厚み等を変えることで、概ね調整できる。苗木の種類により、しっかりと根を張る期間が違うため、それに合わせた調整を行ってやれば良い。
【００３３】
また、蓋２および箱本体３を構成する段ボールの隙間、すなわち、中芯とライナーとの間に肥料を入れ、隙間にビニール等で封止することで、植栽後、一定期間を経て、苗木に肥料を与えることも可能である。上述のように、自然分解される期間を調整することで、苗木が成長し、肥料を必要とする時期に、自動的に肥料を与えることも可能である。
【００３４】
以下において、本発明に係る苗木用梱包箱の特長についてまとめる。
第１に、苗木の根に触ることなく、梱包箱ごと、土壌中に植栽できるので、初心者であっても容易に作業が行える。苗木は繊細であり、特に根元は慎重に扱う必要があるが、そのような難しい作業を必要としない。そして、梱包箱の材質が段ボールであるため、土壌中で繊維状に自然分解され、自然に還るので、植栽後に取り出す必要が無い。
また、苗木が育った土壌をそのまま利用できるので、土壌が変わることによる苗木への悪影響を心配する必要が無い。
【００３５】
第２に、苗木を立ち姿で陳列できるので、生産者は自慢の苗木の全容や枝振りをアピールすることが可能となり、他方、木の全容や枝振りが購買者等が一見して分かるため、購買意欲を向上させることができる。また、購買者が購買後、手押し車等での運搬が容易である。
さらに、生産地から販売地への輸送も、立ち姿で輸送できるので、輸送コスつが低減できる。また、箱本体を持ったり、台車を利用することで、トラックへの運搬も容易となる。
【００３６】
第３に、材質が段ボールであるので、低コストで、一般消費者への販売に適する。
また、多層構造の段ボールは空気層を有するため、保温効果が高く、冬でも根が腐る等の虞が減少する。保水性も高いため、水やりの回数が少なくて済む。特に蓋の開口を小さめにしているので、さらに保温性が増し、また、運搬時に土がこぼれにくなるといメリットもある。
さらに、段ボールは様々な大きさの箱を容易に作成できるため、苗木の大きさや高さに合わせた梱包箱を得ることができる。
【００３７】
第４に、段ボールは加工することが容易であるため、苗木を安定に立てるロープ等を張るための穴等を、苗木の大きさや高さに合せて、最適な場所にその場で加工することができる。
さらに側面に穴を開けることで、根の張る方向を制御することができる。遮蔽版を併用することで、伸ばしたくない方向に根が伸びることを確実に抑止できる。
【００３８】
第５に、ダンボールは防水又は耐水加工が施されているため、屋外での陳列も可能である。
また、防水又は耐水加工の加工具合により、土壌中での腐食期間の調整が可能である。したがって、苗木が根を張るまでの期間は、苗木用梱包箱１は苗木を支える役割を果たし、その役割を終えると土に還ることになる。あるいは、中芯とライナーとの間に肥料を入れておけば、苗木が肥料を必要とする時期に、適切に与えることもできる。
【００３９】
第６に、段ボールの表面には様々な印刷を施すことができるので、苗木と調和した印刷を施せば、陳列時に、苗木を引き立たせて見せることが可能である。あるいは、生産地名やブランド名を入れることもできる。また、イベント会場に苗木を飾る際には、イベントにマッチした印刷を行うことも可能である。
【符号の説明】
【００４０】
１  苗木用梱包箱
２  蓋
３  箱本体
４  中敷
２１  蓋開口部
２２  補強材
３１  本体開口部
３２  補強材
３３  穴
３４  側面開口
５０  苗木
６０  固定具
７０  土壌
８０  地面
９０  遮蔽板
【図１】
2015167545.tif 000003
【図２】
2015167545.tif 000004
【図３】
2015167545.tif 000005
【図４】
2015167545.tif 000006
【図５】
2015167545.tif 000007
【図６】
2015167545.tif 000008
【図７】
2015167545.tif 000009
【図８】
2015167545.tif 000010
【図９】
2015167545.tif 000011
【図１０】
2015167545.tif 000012